(57)【要約】【目的】  本発明の目的は、リード端子をその側面から挿脱可能な挿入口を設けたとしても、当該挿入口から塵や埃の侵入を防止することができる接続装置に提供する。【構成】  接続装置は、冷陰極蛍光ランプ(電子部品)１０のリード端子１２と基板２０とを各々電気接続させるための２つのコンタクト１００と、２つのコンタクト１００を収容しており且つリード端子１２がその側面から挿脱可能な一対の挿入口２２２を有したボディ２００と、ボディ２００の一対の挿入口２２２を開閉するための一対のシャッタ３００と、ボディ２００に取り付けられ、一対のシャッタ３００の開閉を操作するための一対の操作部材４００とを備えている。【選択図】      図３
2008060004.tif 000002
【特許請求の範囲】
【請求項１】
リード端子をその側面から挿脱可能な挿入口を有したボディと、このボディの内部に収容されており且つ前記挿入口から挿入された前記リード端子と接触するコンタクトと、前記ボディに前記挿入口を開閉可能に設けられたシャッタとを備えたことを特徴とする接続装置
【請求項２】
請求項１記載の接続装置において、
少なくとも前記シャッタを移動操作するための部材であり且つ前記ボディに前記リード端子の挿脱方向に移動自在に取り付けられた操作部材を備えており、
前記ボディには、前記リード端子の挿脱方向と略直交する方向に向いた長孔であり且つ当該ボディを貫通する取付孔が設けられており、
前記操作部材のボディ対向面には、前記取付孔と斜めに交差し且つ前記シャッタが前記取付孔を通って嵌り込む案内溝が設けられており、
前記シャッタは、前記操作部材の移動に応じて前記案内溝の一端部から当該案内溝の他端部にかけて移動することにより、前記取付孔内を前記挿入口を開放する開位置から前記挿入口を閉塞する閉位置にかけて移動するようになっていることを特徴とする接続装置。
【請求項３】
請求項２記載の接続装置において、
前記コンタクトは、リード端子接続用の第１の接続部と、基板接続用の第２の接続部とを有しており、
前記第１の接続部は、弾性変形可能な第１、第２のクランプアームを有し、この第１、第２のクランプアームは、互いに離れる方向に屈曲又は湾曲した第１、第２の屈曲部又は湾曲部と、この第１、第２の屈曲部又は湾曲部の先端部に連続しており且つ当該第１、第２の屈曲部又は湾曲部と反対方向に屈曲又は湾曲した第１、第２の把持部とを有しており、
前記ボディのボディ対向面には、前記第１、第２の屈曲部又は湾曲部に対向する一対の開口部が設けられており、
前記操作部材は、前記一対の開口部に前記挿脱方向に移動自在に挿入される一対の片部材を有しており、
この一対の片部材は、前記シャッタが開位置に位置したときに、前記第１、第２の屈曲部又は湾曲部を互いに近づく方向に押圧し、前記シャッタが閉位置に位置したときに、前記第１、第２の屈曲部又は湾曲部の押圧を解除するようになっており、
前記第１、第２の屈曲部又は湾曲部は、前記一対の片部材に押圧されると、前記第１、第２の把持部が互いに近づく方向に移動して交差し、その間に前記リード端子を挿入するための空間を形成する一方、前記一対の片部材の押圧が解除されると、前記第１、第２の把持部が互いに近づく方向に移動して前記空間が閉じ、前記第１、第２の把持部の間で前記リード端子を挟持するようになっていることを特徴とする接続装置。
【請求項４】
請求項２記載の接続装置において、
前記コンタクトは、リード端子接続用の第１の接続部と、基板接続用の第２の接続部とを有しており、
前記第１の接続部は、固定片である第１のクランプアームと、弾性変形可能な可動片である第２のクランプアームとを有しており、
この第２のクランプアームは、前記第１のクランプアームから離れる方向に屈曲又は湾曲した屈曲部又は湾曲部と、この屈曲部又は湾曲部の先端部に連続しており且つ当該屈曲部又は湾曲部と反対方向に屈曲又は湾曲した把持部とを有しており、
前記ボディのボディ対向面には、前記屈曲部又は湾曲部に対向する開口部が設けられており、
前記操作部材は、前記開口部に前記挿脱方向に移動自在に挿入される一対の片部材を有しており、
この一対の片部材は、前記シャッタが開位置に位置したときに、前記屈曲部又は湾曲部を前記第１のクランプアームに向けて押圧し、前記シャッタが閉位置に位置したときに、前記屈曲部又は湾曲部の押圧を解除するようになっており、
前記屈曲部又は湾曲部は、前記片部材に押圧されると、前記把持部が前記第１のクランプアームに近づく方向に移動して当該第１のクランプアームに交差し、その間に前記リード端子を挿入するための空間を形成する一方、前記片部材の押圧が解除されると、前記把持部が前記第１のクランプアームに近づく方向に移動して前記空間が閉じ、前記第２のクランプアームの把持部と前記第1のクランプアームとの間で前記リード端子を挟持するようになっていることを特徴とする接続装置。
【請求項５】
請求項３又は４記載の接続装置において、２つの前記第１のクランプアームが、前記第２のクランプアームの両側に配設されていることを特徴とする接続装置。
【請求項６】
請求項４記載の接続装置において、２つの前記第２のクランプアームが、前記第１のクランプアームの両側に配設されていることを特徴とする接続装置。
【請求項７】
請求項３又は４記載の接続装置において、前記ボディは、前記コンタクトの第２の接続部を前記基板の回路パターンに接触可能に突出させるための開放部と、この開放部の縁部に前記第２の接続部の突出方向に向けて設けられており且つ前記基板に係止される係止爪とを有することを特徴とする接続装置。
【請求項８】
請求項７記載の接続装置において、前記コンタクトの第２の接続部は前記基板の回路パターンに弾性接触可能な形状になっていることを特徴とする接続装置。
【請求項９】
請求項７記載の接続装置において、前記コンタクトの第２の接続部は前記基板のスルーホールに挿入可能な直線状の部位であることを特徴とする接続装置。
【請求項１０】
請求項７記載の接続装置において、前記コンタクトの第２の接続部はリード線が圧着可能な形状になっていることを特徴とする接続装置。
【発明の詳細な説明】
【技術分野】
【０００１】
本発明は、冷陰極蛍光ランプ等の電子部品のリード端子を電気接続するための接続装置に関する。
【背景技術】
【０００２】
この種の接続装置としては、ボディに収容されるコンタクトが、冷陰極管ランプのリード端子を弾性的に挟持するようになっている第１の接続部と、基板接続の第２の接続部を有したものがある。
【０００３】
例えば、第１の接続装置としては、前記第１の接続部が、固定片と、湾曲しており且つ前記固定片が挿入される矩形状の孔部が設けられた可動片とを有しており、前記可動片が押圧操作されることにより、前記孔部の壁面と前記固定片との間に隙間が生じ、この隙間に前記リード端子を挿入して挟持させるようにしたものがある(特許文献１参照)。
【０００４】
第２の接続装置としては、前記第１の接続部が、ボディの収容部に装着される固定金具と、この固定金具の上端面に対して上下動可能にされた略逆く字状の可動片と、この可動片を動作させるための操作部材とを有しており、操作部材により前記可動片が押下されると、当該可動片の先端部と固定金具の上端面との間に隙間が生じ、当該隙間に前記リード端子を挿入して挟持させるようにしたものある(特許文献２参照)
【０００５】
第３の接続装置としては、前記コンタクトが、ボディに収容されるコイルスプリングであり、このコイルスプリングを圧縮させ、当該コイルスプリングの一端部とボディの内壁面との間に形成された隙間に前記リード端子を挿入して挟持させるようにしたものがある(特許文献３参照)
【０００６】
【特許文献１】実開平０６−１７１２３号公報
【特許文献２】特開２００３−７７５５８号公報
【特許文献３】特開平０９−９２０１８号公報
【発明の開示】
【発明が解決しようとする課題】
【０００７】
ところで、このような接続装置は、前記リード端子の挿脱の容易性やリード端子及びその冷陰極蛍光ランプの取付時の破損の防止の要請により、前記リード端子をその側面から挿脱可能な構成とすることが臨まれているが、前記接続装置を前記リード端子をその側面から挿脱可能な構成とするためには、ボディの上面にリード端子を挿脱するための挿入口を設ける必要がある。このようにボディの上面に挿入口を設けると、塵や埃が入り込み易いため、前記コンタクトの接触不良やショート等の不具合が生じる問題があった。
【０００８】
本発明は、上記事情に鑑みて創案されたものであって、その目的とするところは、リード端子をその側面から挿脱可能な挿入口を設けたとしても、当該挿入口から塵や埃の侵入を防止することができる接続装置に提供することにある。
【課題を解決するための手段】
【０００９】
上記課題を解決するために、本発明の接続装置は、リード端子をその側面から挿脱可能な挿入口を有したボディと、このボディの内部に収容されており且つ前記挿入口から挿入された前記リード端子と接触するコンタクトと、前記ボディに前記挿入口を開閉可能に設けられたシャッタとを備えている。
【００１０】
即ち、前記シャッタにより前記挿入口を閉塞することができるので、塵や埃の侵入を防止することができる。
【００１１】
この接続装置は、少なくとも前記シャッタを移動操作するための部材であり且つ前記ボディに前記リード端子の挿脱方向に移動自在に取り付けられた操作部材を更に備えた構成とすることができる。
【００１２】
この場合、前記ボディには、前記リード端子の挿脱方向と略直交する方向に向いた長孔であり且つ当該ボディを貫通する取付孔が設けられており、前記操作部材のボディ対向面には、前記取付孔と斜めに交差し且つ前記シャッタが前記取付孔を通って嵌り込む案内溝が設けられており、前記シャッタは、前記操作部材の移動に応じて前記案内溝の一端部から当該案内溝の他端部にかけて移動することにより、前記取付孔内を前記挿入口を開放する開位置から前記挿入口を閉塞する閉位置にかけて移動する構成とすることができる。
【００１３】
即ち、前記操作部材を移動操作すると、前記シャッタが前記案内溝の一端部から当該案内溝の他端部にかけて斜めに移動することにより、前記取付孔内を前記挿入口を開放する開位置から前記挿入口を閉塞する閉位置にかけて移動する。
【００１４】
前記コンタクトは、リード端子接続用の第１の接続部と、基板接続用の第２の接続部とを有している。前記第１の接続部は、弾性変形可能な第１、第２のクランプアームを有した構成とすることができる。この場合、前記第１、第２のクランプアームは、互いに離れる方向に屈曲又は湾曲した第１、第２の屈曲部又は湾曲部と、この第１、第２の屈曲部又は湾曲部の先端部に連続しており且つ当該第１、第２の屈曲部又は湾曲部と反対方向に屈曲又は湾曲した第１、第２の把持部とを有しており、前記ボディのボディ対向面には、前記第１、第２の屈曲部又は湾曲部に対向する一対の開口部が設けられており、前記操作部材は、前記一対の開口部に前記挿脱方向に移動自在に挿入される一対の片部材を有しており、この一対の片部材は、前記シャッタが開位置に位置したときに、前記第１、第２の屈曲部又は湾曲部を互いに近づく方向に押圧し、前記シャッタが閉位置に位置したときに、前記第１、第２の屈曲部又は湾曲部の押圧を解除するようになっており、前記第１、第２の屈曲部又は湾曲部は、前記一対の片部材に押圧されると、前記第１、第２の把持部が互いに近づく方向に移動して交差し、その間に前記リード端子を挿入するための空間を形成する一方、前記一対の片部材の押圧が解除されると、前記第１、第２の把持部が互いに近づく方向に移動して前記空間が閉じ、前記第１、第２の把持部の間で前記リード端子を挟持するようになっている。
【００１５】
このように操作部材を操作するだけで、前記シャッタの開閉と、前記コンタクトの第１、第２のクランプアームの第１、第２の把持部の間の空間の開閉とを同時に行うことができる。このため、シャッタがリード端子の挿入口への挿入の邪魔になることがなく、且つ第１、第２の把持部の間の空間の開閉とは別にシャッタの開閉のための操作が必要になることもない。よって、防塵のためにシャッタを設けたとしてもリード端子を簡単にコンタクトに接続することができる。しかも、第１、第２のクランプアームの弾性力はリード端子の挟持にのみ利用されるだけであり、前記クランプアームの弾性力がボディに直接作用することがない。更に、前記第１、第２の把持部の間に形成された空間に、前記リード端子を挿入するだけであるから、従来例の第３の接続装置のように、リード端子でコイルスプリングであるコンタクトを押圧し、当該リード端子を挿入するための空間を形成する必要がなく、当該押圧によるリード端子やその電子部品が破損することもない。
【００１６】
或いは  前記第１の接続部は、固定片である第１のクランプアームと、弾性変形可能な可動片である第２のクランプアームとを有した構成とすることができる。この場合、前記第２のクランプアームは、前記第１のクランプアームから離れる方向に屈曲又は湾曲した屈曲部又は湾曲部と、この屈曲部又は湾曲部の先端部に連続しており且つ当該屈曲部又は湾曲部と反対方向に屈曲又は湾曲した把持部とを有しており、前記ボディのボディ対向面には、前記屈曲部又は湾曲部に対向する開口部が設けられており、前記操作部材は、前記開口部に前記挿脱方向に移動自在に挿入される一対の片部材を有しており、この一対の片部材は、前記シャッタが開位置に位置したときに、前記屈曲部又は湾曲部を前記第１のクランプアームに向けて押圧し、前記シャッタが閉位置に位置したときに、前記屈曲部又は湾曲部の押圧を解除するようになっており、前記屈曲部又は湾曲部は、前記片部材に押圧されると、前記把持部が前記第１のクランプアームに近づく方向に移動して当該第１のクランプアームに交差し、その間に前記リード端子を挿入するための空間を形成する一方、前記片部材の押圧が解除されると、前記把持部が前記第１のクランプアームに近づく方向に移動して前記空間が閉じ、前記第２のクランプアームの把持部と前記第1のクランプアームとの間で前記リード端子を挟持するようになっている。
【００１７】
このように操作部材を操作するだけで、前記シャッタの開閉と、前記コンタクトの第２のクランプアームの把持部と第１のクランプアームとの間の空間の開閉とを同時に行うことができるので、シャッタがリード端子の挿入口への挿入の邪魔になることがなく、且つ第２のクランプアームの把持部と第１のクランプアームとの間の開閉とは別にシャッタの開閉のための操作が必要になることもない。よって、防塵のためにシャッタを設けたとしてもリード端子を簡単にコンタクトに接続することができる。しかも、第２のクランプアームの弾性力はリード端子の挟持にのみ利用されるだけであり、前記第２のクランプアームの弾性力に起因する負荷がボディに直接掛かるようなことはない。更に、前記第２のクランプアームの把持部と前記第１のクランプアームの間に形成された空間に、前記リード端子を挿入するだけであるから、従来例の第３の接続装置のように、リード端子でコイルスプリングであるコンタクトを押圧し、当該リード端子を挿入するための空間を形成する必要がなく、当該押圧によるリード端子やその電子部品が破損することもない。
【００１８】
前記コンタクトが前記第１のクランプアームを２つ有する場合、この２つの第１のクランプアームが前記第２のクランプアームの両側に配設されている。或いは、前記コンタクトが前記第２のクランプアームを２つ有する場合、この２つの第２のクランプアームが、前記第１のクランプアームの両側に配設されている。
【００１９】
このように２つの第１のクランプアーム及び一つの第２のクランプアームの３点、或いは２つの第２のクランプアーム及び一つの第１のクランプアームの３点で、前記リード端子を挟持するようにすれば、当該リード端子を安定して保持することができる。
【００２０】
前記ボディは、前記コンタクトの第２の接続部を前記基板の回路パターンに接触可能に突出させるための開放部と、この開放部の縁部に前記第２の接続部の突出方向に向けて設けられており且つ前記基板に係止される係止爪とを有する。
【００２１】
この場合、前記係止爪を前記基板に係止させると、前記コンタクトの第２の接続部が前記基板の回路パターンに接触し、電気的に接続される。よって、前記コンタクトを簡単に基板に電気的に接続することができる。
【００２２】
前記コンタクトの第２の接続部は前記基板の回路パターンに弾性接触可能な形状になっていることが好ましい。このように前記第２の接続部を前記回路パターンに弾性接触させれば、安定した電気的な接続を図ることができる。
【００２３】
前記基板にスルーホールが設けられている場合、前記コンタクトの第２の接続部は前記基板のスルーホールに挿入可能な直線状の部位とすることができる。また、前記コンタクトの第２の接続部をリード線が圧着可能な形状とし、当該リード線を通じて基板と接続可能とすることもできる。
【発明の効果】
【００２４】
本発明の接続装置による場合、ボディにリード端子をその側面から挿脱可能な挿入口を設けたとしても、シャッタにより塵や埃が前記挿入口から侵入するのを防止することができる。よって、ボディ内のコンタクトの接続不良やショートを防止することができる。
【発明を実施するための最良の形態】
【００２５】
以下、本発明の実施の形態に係る接続装置について図面を参照しながら説明する。図１は本発明の実施の形態に係る接続装置を示す図であって、(ａ)が正面図、(ｂ)が側面図、図２は同装置の概略的分解斜視図、図３は同装置の図１のＡ−Ａ断面図であって、(ａ)が操作部材のスライド移動後の状態を示す図、(ｂ)が電子部品のリード端子が挿入された状態を示す図、図４は同装置の図１のＢ−Ｂ断面図であって、(ａ)が操作部材のスライド移動前の状態を示す図、(ｂ)が操作部材のスライド移動後の状態を示す図、(ｃ)が電子部品のリード端子が挿入された状態を示す図、図５は同装置の一端部の操作部材を透過させた状態の概略的背面図であって、(ａ)が操作部材のスライド移動前の状態を示す図、(ｂ)が操作部材のスライド移動後の状態を示す図、(ｃ）が電子部品のリード端子が挿入された状態を示す図、図６は同装置の操作部材を示す図であって、(ａ)が概略的正面図、(ｂ)が概略的背面図、(ｃ）が概略的側面図、(ｄ)が概略的平面図、(ｅ）が概略的底面図、図７は同装置のシャッタを示す図であって、(ａ)が概略的正面図、(ｂ)が概略的背面図、(ｃ）が概略的左側面図、(ｄ)が概略的右側面図、(ｅ）が概略的平面図、(ｆ）が概略的底面図、図８は同装置のコンタクトの概略的斜視図、図９は同装置のコンタクトの設計変更例を示す概略的斜視図であって、(ａ)が固定片である２つの第１のクランプアームと可動片である第２のクランプアームとを有したコンタクトの図、(ｂ)が可動片である第１、第２のクランプアームを有したコンタクトの図、(ｃ)が固定片である第１のクランプアームと可動片である第２のクランプアームとを有したコンタクトの概略的斜視図、図１０は同装置のコンタクトの別の設計変更例を示す概略的斜視図であって、(ａ)が基板のスルーホールに挿入可能な板状体である第２の接続部を示す図、(ｂ)が基板実装可能な鉤状体である第２の接続部を示す図、(ｃ）がリード線を圧着可能な形状である第２の接続部を示す図、図１１は同装置のコンタクトの更に別の設計変更例を示す概略的分解斜視図、図１２は同装置のボディの設計変更例を示す概略的正面図である。
【００２６】
ここに掲げる接続装置は、冷陰極蛍光ランプ１０のソケットであって、冷陰極蛍光ランプ(電子部品)１０のリード端子１２と基板２０とを各々電気接続させるための２つのコンタクト１００と、２つのコンタクト１００を収容しており且つリード端子１２がその側面から挿脱可能な一対の挿入口２２２を有したボディ２００と、ボディ２００の一対の挿入口２２２を開閉するための一対のシャッタ３００と、ボディ２００に取り付けられ、一対のシャッタ３００の開閉を操作するための一対の操作部材４００とを備えている。以下、詳しく説明する。
【００２７】
冷陰極蛍光ランプ１０は、図３に示すように、ランプ部１１と、このランプ部１１から突出したリード端子１２とを有している。  
【００２８】
ボディ２００は、図１乃至図４に示すように、側面視略Ｌ字状の本体部２１０と、この本体部２１０の薄肉部の背面の両端部に設けられた略矩形状の２つのガイド部２２０とを有している。
【００２９】
ガイド部２２０の内部には、図３、図４及び図５に示すように、コンタクト１００を収容する収容部２２１が設けられている。この収容部２２１は略矩形状の空間であって、本体部２１０の下端部の開放部２１３と連通している。収容部２２１の下端部には当該収容部２２１の他の部分に比べて若干幅広な圧入部２２１ａが設けられている。この圧入部２２１ａは、その幅寸法がコンタクト１００の中間部１３０の幅寸法と略同じになっており、当該中間部１３０が圧入されるようになっている。
【００３０】
ガイド部２２０の上面の中央部には凸部が設けられており、この凸部に挿入口２２２が設けられている。この挿入口２２２は、収容部２２１に連通する孔であって、その幅寸法が冷陰極蛍光ランプ１０のリード端子１２の幅寸法よりも若干大きく設定されている。この挿入口２２２の幅方向の両縁部には、当該挿入口２２２内にリード端子１２を案内するためのテーパ面が設けられている。
【００３１】
また、ガイド部２２０の幅方向の両端面には、図１、図２及び図５に示すように、操作部材４００をリード端子１２の挿脱方向に移動自在にガイドするための一対のガイド突起２２３が設けられている。
【００３２】
ガイド部２２０の厚み方向の壁部(即ち、操作部材対向面)の挿入口２２２の下側部分には、図３に示すように、シャッタ３００が前記挿脱方向と直交する方向(以下、直交方向と称する。)に移動自在に嵌まり込む取付孔２２４が設けられている。また、ガイド部２２０の前記壁部の両端部には、操作部材４００の一対の片部材４３０が挿入される一対の開口部２２５が設けられている。更に、ガイド部２２０の壁部の下端部の中央部には、操作部材４００を係止するための一対の係止凸部２２６が設けられている。
【００３３】
開口部２２５は、前記挿脱方向に向いた長孔であって、収容部２２１内のコンタクト１００の第１、第２の屈曲部１１１ａ、１１２ａに対向している。この開口部２２５の上端部は、図３及び４に示すように、その内側部が操作部材４００の片部材４３０の形状に合わせて傾斜している。
【００３４】
取付孔２２４は、図３及び図４に示すように、ガイド部２２０の操作部材対向面を貫通し且つ前記直交方向に向いた長孔である本体孔部２２４ａと、この本体孔部２２４ａの上部に連続する当該本体孔部２２４ａよりも幅狭なガイド凹部２２４ｂとを有している。
【００３５】
本体孔部２２４ａはシャッタ３００の第１のランナ部３２０が通され、当該第１のランナ部３２０を前記直交方向に移動自在にガイドする。一方、ガイド凹部２２４ｂはシャッタ３００の第２のランナ部３３０を前記直交方向に移動自在にガイドする。
【００３６】
本体部２１０の上面の両端部には、一対の挿入口２２２と通じる一対の収容溝２１１と、この一対の収容溝２１１と一対の挿入口２２２とを区切る一対の壁部２１２とが設けられている。
【００３７】
壁部２１２には、挿入口２２２に連続するスリット２１２ａが前記挿脱方向に向けて設けられている。
【００３８】
このスリット２１２ａは、その幅寸法が冷陰極蛍光ランプ１０のリード端子１２の幅寸法よりも若干大きく設定されており、当該リード端子１２が挿脱可能になっている。スリット２１２ａの幅方向の両縁部には、リード端子１２を案内するためのテーパ面がガイド部２２０の挿入口２２２の両縁部のテーパ面と連続して設けられている。また、スリット２１２ａの深さ寸法は、リード端子１２が収容部２２１内のコンタクト１００の第１、第２のクランプアーム１１１、１１２に挟持される位置と略同じ位置までの深さとなっている。即ち、リード端子１２が収容部２２１内のコンタクト１００の第１、第２のクランプアーム１１１、１１２に挟持されると共に、スリット２１２ａの底部に支持されるようになっている。
【００３９】
収容溝２１１は、その幅寸法が冷陰極蛍光ランプ１０のランプ部１１よりも若干大きく設定された略Ｕ字状の溝であり、当該ランプ部１１がその側面から挿脱可能になっている。この収容溝２１１の幅方向の両縁部には、ランプ部１１を案内するためのテーパ面が設けられている。収容溝２１１の深さ寸法は、冷陰極蛍光ランプ１０のリード端子１２が壁部２１２のスリット２１２ａの底部に支持された状態で、当該冷陰極蛍光ランプ１０のランプ部１１が当該収容溝２１１の底部に載置される深さに設定されている。
【００４０】
本体部２１０の下端部には、図３及び図４に示すように、収容部２２１の圧入部２２１ａと連通する開放部２１３が設けられている。この開放部２１３は収容部２２１に収容されたコンタクト１００の第２の接続部１２０を下方向に突出させるための孔である。この開放部２１３の外側の縁部には、基板２０の図示しない係止孔に係止される係止爪２１４が下方向(即ち、コンタクト１００の第２の接続部１２０の突出方向と同方向)に向けて設けられている。
【００４１】
操作部材４００は、図２及び図６に示すように、背面及び下面が開放された略矩形状の箱体である移動本体部４１０と、この移動本体部４１０の幅方向の両端部の角部を切り欠くことにより形成された一対のレール溝４２０と、移動本体部４１０の内面の一対のレール溝４２０の間に設けられた一対の片部材４３０と、移動体本体部４１０の内面の一対の片部材４３０の間の上側位置に設けられた案内溝４４０と、移動本体部４１０の下端部に設けられた係止片４５０と、ガイド部２２０の上面の凸部を露出させるための切欠き部４６０とを有している。
【００４２】
レール溝４２０にはガイド部２２０のガイド突起２２３が嵌まり込む。これにより、移動本体部４１０が、図４(ａ)及び図４(ｃ)に示す初期位置(即ち、ガイド突起２２３がレール溝４２０の最上に位置する位置)から図４(ｂ)に示す押圧位置(即ち、ガイド突起２２３がレール溝４２０の最下に位置する位置)にかけてガイド部２２０にスライド自在に取り付けられる。移動本体部４１０が初期位置に位置したときには、当該移動体本体部４１０の切欠き部４６０の両縁部がガイド部２２０の上面の凸部の両側部に当接する。これにより、移動体本体部４１０が初期位置で位置規制される。一方、移動本体部４１０が押圧位置に位置したときには、一対の片部材４３０の上端部のテーパ面がガイド部２２０の開口部２２５の上端部の傾斜面に当接する。これにより、移動体本体部４１０が押圧位置で位置規制される。
【００４３】
係止片４５０は、図３に示すように、下端部がガイド部２２０に向けて凸となっており、移動本体部４１０が初期位置に位置したとき、ガイド部２２０の一対の係止凸部２２６に係止される。
【００４４】
一対の片部材４３０の上端部にはその間の間隔が暫時減少するテーパ面が設けられている。この一対の片部材４３０は、一対の開口部２２５に前記挿脱方向に移動自在に挿入されており、移動本体部４１０が押圧位置に位置したときに、収容部２２１内のコンタクト１００の第１、第２のクランプアーム１１１、１１２の第１、第２の屈曲部１１１ａ、１１２ａを押圧し、移動本体部４１０が初期位置に位置したときに、第１、第２の屈曲部１１１ａ、１１２ａの押圧を解除するようになっている。
【００４５】
案内溝４４０は、図４及び図５に示すように、ガイド部２２０の取付孔２２４に対して斜めに交差した傾斜溝部４４１と、この傾斜溝部４４１の上端(即ち、案内溝４４０の他端部)に連続する矩形状の孔部４４２と、傾斜溝部４４１の下端(即ち、案内溝４４０の一端部)に連続する矩形状の凹部４４３とを有している。
【００４６】
孔部４４２は、移動体本体部４１０が初期位置に位置したとき、ガイド部２２０の挿入口２２２に対向する位置から前記直交方向の一端側に若干位置ずれした位置に設けられている。孔部４４２は貫通孔であり、シャッタ３００の第３のランナ部３４０の位置を確認するための覗き孔となっている。凹部４４３は、移動本体部４１０が押圧位置に位置したとき、ガイド部２２０の挿入口２２２に対向する位置から前記直交方向の他端側に若干位置ずれした位置に設けられている。傾斜溝部４４１は、シャッタ３００の第３のランナ部３４０を孔部４４２から凹部４４３にかけて案内する溝である。
【００４７】
シャッタ３００は、図２及び図７に示すように、ガイド部２２０の挿入口２２２を開閉するための板状のシャッタ本体３１０と、このシャッタ本体３１０に直角に設けられた板状の第１のランナ部３２０と、この第１のランナ部３２０上に設けられた凸状の第２のランナ部３３０と、第１、第２のランナ部３２０、３３０の一端面に設けられた円柱状の第３のランナ部３４０とを有している。
【００４８】
シャッタ本体３１０は第１のランナ部３２０の他端側に偏在している。第１のランナ部３２０はガイド部２２０の本体孔部２２４ａに移動自在に嵌まり込む。第２のランナ部３３０はガイド部２２０のガイド凹部２２４ｂに移動自在に嵌まり込む。第３のランナ部３４０は操作部材４００の案内溝４４０に移動自在に嵌まり込む。
【００４９】
即ち、第３のランナ部３４０が案内溝４４０の孔部４４２に位置したときには、第１、第２のランナ部３２０、３３０はガイド部２２０の本体孔部２２４ａ、ガイド凹部２２４ｂの一端部に位置すると共に、シャッタ本体３１０がガイド部２２０の挿入口２２２を閉塞する閉位置に位置する。一方、第３のランナ部３４０が案内溝４４０の凹部４４３に位置したときには、第１、第２のランナ部３２０、３３０はガイド部２２０の本体孔部２２４ａ、ガイド凹部２２４ｂの他端部に位置すると共に、シャッタ本体３１０がガイド部２２０の挿入口２２２を開放する開位置に位置する。
【００５０】
コンタクト１００は、図２、図３、図４、図５及び図８に示すように、導電性を有した板バネであって、リード端子接続用の第１の接続部１１０と、基板接続用の第２の接続部１２０と、第１、第２の接続部１１０の間に位置する中間部１３０とを有する。
【００５１】
中間部１３０は、矩形状の板状体であって、その幅寸法がボディ２００の収容部２２１の圧入部２２１ａの幅寸法と略同じになっている。この中間部１３０の両端部には一対の係止突起１３１が設けられている。この一対の係止突起１３１が収容部２２１の圧入部２２１ａに圧入されることにより、コンタクト１００が収容部２２１内で保持される。
【００５２】
第２の接続部１２０は、中間部１３０の下端に連続し且つ略つ字状に湾曲している。この第２の接続部１２０の高さ寸法は、図３に示すように、中間部１３０がコンタクト１００がボディ２００の収容部２２１で保持された状態で、ボディ２００の開放部２１３から突出する高さとなっている。
【００５３】
第１の接続部１１０は、中間部１３０の上端に間を空けて設けられた弾性変形可能な２つの第１のクランプアーム１１１と、中間部１３０の上端の２つの第１のクランプアーム１１１の間に配設された弾性変形可能な第２のクランプアーム１１２を有する。
【００５４】
第１のクランプアーム１１１は、略く字状の第１の屈曲部１１１ａと、この第１の屈曲部１１１ａの先端に連続しており且つ第１の屈曲部１１１ａと反対方向に向けて折り曲げられた第１の把持部１１１ｂとを有している。
【００５５】
第２のクランプアーム１１２は、略逆く字状(即ち、第１の屈曲部１１１ａと反対方向に向けて折り曲げられている。)の第２の屈曲部１１２ａと、この第２の屈曲部１１２ａの先端に連続しており且つ当該第２の屈曲部１１２ａと反対方向に向けて折り曲げられた第２の把持部１１２ｂとを有している。
【００５６】
第１、第２の屈曲部１１１ａ、１１２ａは、その上側の直線部が基板２０と略平行になるように折り曲げられている。この第１、第２の屈曲部１１１ａ、１１２ａの前記上側の直線部の長さ寸法は、両者が初期状態で交差しないような長さであり且つ当該第１、第２の屈曲部１１１ａ、１１２ａが操作部材４００の一対の片部材４３０により押圧されることにより、互いに交差し、把持部１１１ｂ、１１２ｂの間にリード端子１２を挿入するための空間αが生じるような長さとなっている。
【００５７】
以下、このような構成の接続装置の組み立て手順について説明する。まず、コンタクト１００の中間部１３０と、ボディ２００の収容部２２１の圧入部２２１ａとを位置合わせをしつつ圧入し、当該コンタクト１００を収容部２２１に収容させる。
【００５８】
そして、ボディ２００のガイド部２２０の取付孔２２４の本体孔部２２４ａにシャッタ３００のシャッタ本体３１０の先端面から位置合わせしつつ挿入する。すると、シャッタ３００の第１のランナ部３２０が取付孔２２４の本体孔部２２４ａに、当該シャッタ３００の第２のランナ部３３０が当該取付孔２２４のガイド凹部２２４ｂに嵌まり込む。
【００５９】
その後、操作部材４００の一対の片部材４３０をボディ２００のガイド部２２０の一対の開口部２２５に位置合わせをしつつ、且つ収容部２２１内のコンタクト１００の第１、第２の屈曲部１１１ａ、１１２ａに当てないように挿入する。そして、シャッタ３００を閉位置に位置させた状態で、操作部材４００をボディ２００のガイド部２２０に押し当てる。すると、操作部材４００の幅方向の両端部がガイド部２２０のガイド突起２２３を弾性変形して乗り越える。これにより、ガイド部２２０のガイド突起２２３が操作部材４００のレール溝４２０に嵌まり込む。これと共に、シャッタ３００の第３のランナ部３４０が操作部材４００の案内溝４４０の孔部４４２に嵌まり込む。
【００６０】
以下、このように組み立てられる接続装置の使用方法について説明する。まず、ボディ２００の係止爪２１４を基板２０の図示しない係止孔に挿入し、係止させる。すると、ボディ２００の開放部２１３から突出したコンタクト１００の第２の接続部１２０が基板２０の図示しない回路パターンに押し付けられ、弾性接触する。これにより、コンタクト１００が基板２０の回路パターンに電気的に接続される。
【００６１】
その後、操作部材４００を初期位置から押圧位置にかけて移動させる。このとき、操作部材４００の係止片４５０がガイド部２２０の一対の係止凸部２２６を乗り越える。すると、図４(ｂ）に示すように、操作部材４００の一対の片部材４３０がコンタクト１００の第１、第２のクランプアーム１１１、１１２の第１、第２の屈曲部１１１ａ、１１２ａを押圧する。すると、当該第１、第２の屈曲部１１１ａ、１１２ａが互いに近づく方向に移動すると共に、第１、第２の把持部１１１ｂ、１１２ｂが互いに近づく方向に移動して交差し、そして互いに離れる方向に移動し、その間に空間αを形成する。
【００６２】
これと共に、シャッタ３００の第３のランナ部３４０が、図４(ａ)、図４(ｂ）、図５(ａ)及び図５(ｂ）に示すように、操作部材４００の案内溝４４０の孔部４４２から、傾斜溝部４４１に案内され、凹部４４３に移動する。このとき、シャッタ３００の第１、第２のランナ部３２０、３３０がボディ２００の取付孔２２４の本体孔部２２４ａ、ガイド凹部２２４ｂの上端面に当接しつつ、当該取付孔２２４の一端部から他端部にかけて前記直交方向に移動する。このようにしてシャッタ３００のシャッタ本体３１０がボディ２００の挿入口２２２を閉塞する閉位置から開放する開位置にかけて移動する。
【００６３】
その後、冷陰極蛍光ランプ１０のランプ部１１をボディ２００の収容溝２１１に、当該冷陰極蛍光ランプ１０のリード端子１２をその側面からボディ２００の挿入口２２２に挿入する。すると、リード端子１２がボディ２００の壁部２１２のスリット２１２ａに案内され、当該ボディ２００の収容部２２１内のコンタクト１００の第１、第２の把持部１１１ｂ、１１２ｂの間の空間αに挿入される。
【００６４】
その後、操作部材４００を押圧位置から初期位置にかけて移動させる。このとき、操作部材４００の係止片４５０がガイド部２２０の係止凸部２２６に係止される。すると、操作部材４００の一対の片部材４３０の第１、第２の屈曲部１１１ａ、１１２ａに対する押圧が解除される。すると、第１、第２のクランプアーム１１１、１１２自身の復帰力により、第１、第２の屈曲部１１１ａ、１１２ａ互いに離れる方向に移動する一方、第１、第２の把持部１１１ｂ、１１２ｂが互いに近づく方向に移動する。これにより空間αが閉じ、当該空間αに挿入されたリード端子１２が第１、第２の把持部１１１ｂ、１１２ｂの間で挟持される。このようにしてリード端子１２がコンタクト１００に電気的に接続される。
【００６５】
これと共に、シャッタ３００の第３のランナ部３４０が、図４(ｂ)、図４(ｃ)、図５(ｂ)及び図５(ｃ）に示すように、操作部材４００の案内溝４４０の凹部４４３から、傾斜溝部４４１に案内され、孔部４４２に移動する。このとき、シャッタ３００の第１、第２のランナ部３２０、３３０がボディ２００の取付孔２２４の本体孔部２２４ａ、ガイド凹部２２４ｂの下端面に当接しつつ、当該取付孔２２４の他端部から一端部にかけて前記直交方向に移動する。このようにしてシャッタ３００のシャッタ本体３１０がボディ２００の挿入口２２２を開放する開位置から閉塞する閉位置にかけて移動する。
【００６６】
リード端子１２を取り外すときには、操作部材４００を再び初期位置から押圧位置に移動させる。このとき、操作部材４００の係止片４５０がガイド部２２０の係止凸部２２６を乗り越える。すると、操作部材４００の一対の片部材４３０がコンタクト１００の第１、第２のクランプアーム１１１、１１２の第１、第２の屈曲部１１１ａ、１１２ａを押圧する。すると、当該第１、第２の屈曲部１１１ａ、１１２ａが互いに近づく方向に移動する一方、第１、第２の把持部１１１ｂ、１１２ｂが互いに離れる方向に移動する。これにより、空間αが開き、当該第１、第２の把持部１１１ｂ、１１２ｂによるリード端子１２の挟持が解除される。
【００６７】
これと共に、シャッタ３００の第３のランナ部３４０が、図４(ｂ)、図４(ａ)、図５(ｂ)及び図５(ａ)に示すように、操作部材４００の案内溝４４０の孔部４４２から、傾斜溝部４４１に案内され、凹部４４３に移動する。このとき、シャッタ３００の第１、第２のランナ部３２０、３３０がボディ２００の取付孔２２４の本体孔部２２４ａ、ガイド凹部２２４ｂの上端面に当接しつつ、当該取付孔２２４の一端部から他端部にかけて前記直交方向に移動する。このようにしてシャッタ３００のシャッタ本体３１０がボディ２００の挿入口２２２を閉塞する閉位置から開放する開位置にかけて移動する。
【００６８】
その後、当該リード端子１２をボディ２００の挿入口２２２から引き抜く。
【００６９】
このような接続装置による場合、ボディ２００の挿入口２２２をシャッタ３００で閉塞することができるので、塵や埃の侵入を防止することができる。このため、前記塵や埃によりコンタクト１００の導通不良やショートが生じるのを防止することができる。
【００７０】
しかも、操作部材４００をスライド移動させるだけで、コンタクト１００の第１、第２のクランプアーム１１１、１１２のリード端子１２の挟持及びその解除と、シャッタ３００の開閉とを同時に行うことができる。このため、当該シャッタ３００がリード端子１２の挿脱の際に邪魔になることがなく、且つシャッタ３００の開閉操作をリード端子１２の挟持及びその解除の操作と別に行う必要もない。よって、防塵のためにシャッタ３００を設けたとしても、リード端子１２の取り付け及び取り外しを容易に行うことができ、冷陰極蛍光ランプ１０の交換を容易に行うことができる。
【００７１】
更に、操作部材４００を押圧位置に移動させ、当該操作部材４００の片部材４３０の押圧により第１、第２のクランプアーム１１１、１１２の第１、第２の把持部１１１ｂ、１１２ｂの間に空間αを形成させ、当該空間αにリード端子１２を挿入し、その後、操作部材４００を初期位置に移動させて操作部材４００の片部材４３０の押圧を解除することにより、空間αを閉じさせ、第１、第２の把持部１１１ｂ、１１２ｂの間でリード端子１２を挟持させるようになっている。このため、第１、第２のクランプアーム１１１、１１２の弾性力に起因する負荷が直接ボディ２００に掛からないので、長期間の使用に適する。しかも、リード端子１２を取り付けるに当たり、第１、第２の把持部１１１ｂ、１１２ｂの間の空間αにリード端子１２を挿入し、当該第１、第２の把持部１１１ｂ、１１２ｂに挟持させるだけであるので、従来例の如くリード端子１２をコンタクト１００に押圧し、当該リード端子１２を収容するための収容空間を形成する必要もない。よって、前記押圧による負荷によって取付時の冷陰極蛍光ランプ１０が破損するのを防止することができる。
【００７２】
また、ボディ２００の係止爪２１４を基板２０の係止孔に係止させることにより、ボディ２００の開放部２１３から突出したコンタクト１００の第２の接続部１２０が基板２０の回路パターンに弾性的に接触するようになっている。このため、半田接続を用いることなく、コンタクト１００を基板２０に簡単に接続することができ、その結果、低コスト化を図ることができる。
【００７３】
なお、上記接続装置は、リード端子をその側面から挿脱可能な挿入口を有したボディと、このボディの内部に収容されており且つ前記挿入口から挿入された前記リード端子と接触するコンタクトと、前記ボディに前記挿入口を開閉可能に設けられたシャッタとを備えている限りどのような設計変更を行ってもかまわない。
【００７４】
コンタクト１００の第１の接続部１１０については、少なくとも一方が可動片である一対のクランプアームを有しており、前記可動片の屈曲部が押圧操作されることにより、当該可動片の把持部が他のクランプアームに近づく方向に移動して交差し、その間にリード端子を挿入するための空間を形成するようになっている限りどのような設計変更を行ってもかまわない。例えば、図９(ａ)に示すように、第１の接続部が、固定片である２つの板状の第１のクランプアーム１１１’と、その間に配設された弾性変形可能な可動片である第２のクランプアーム１１２’とを有した構成とすることができるし、図示しないが２つの弾性変形可能な可動片である第１のクランプアームと、その間に配設された固定片である板状の第２のクランプアームとを有した構成とすることができる。このように３点でリード端子１２を挟持するようにすれば、安定して保持することができるが、図９(ｂ)に示すように、弾性変形可能な可動片である一対の第１、第２のクランプアーム１１１’、１１２’を有した構成、図９(ｃ)に示すように、固定片である板状の第１のクランプアーム１１１’と、弾性変形可能な可動片である第２のクランプアーム１１２’とを有した構成のような２点で挟持するようにしても良い。なお、クランプアームを４つ以上設けても良いことはいう迄もない。
【００７５】
第１、第２の屈曲部１１１ａ、１１２ａ及び第１、第２の把持部１１１ｂ、１１２ｂについては、湾曲形状とすることも可能である。第１、第２の屈曲部１１１ａ、１１２ａ及び把持部１１１ｂ、１１２ｂは、屈曲形状のもの及び湾曲形状のものを組み合わせることもできる。
【００７６】
コンタクト１００の第２の接続部１２０については、基板２０に電気的に接続し得るものであれば、どのような設計変更を行ってもかまわない。例えば、基板２０にスルーホールが設けられている場合、図１０(ａ)に示すように、第２の接続部を前記スルーホールに挿入可能な直線状の板状体とすることができるし、図１０(ｂ)に示すように、第２の接続部を基板２０の回路パターンに接触し表面実装可能な鉤状体とすることもできるし、図１０(ｃ)に示すように、第２の接続部を基板２０の回路パターン又はその他の電子部品等と接続するためのリード線が圧着可能な形状とすることもできる。また、第２の接続部１２０を別体とし、第１の接続部１２０に接触させるようにすることも一応可能である。また、図１１に示すように、第２の接続部を側面視略凹字状にし、その両端部に第１の接続部を各々設けた形状とすることも可能である
【００７７】
ボディ２００については、上記コンタクトを収容し得るものであれば、どのように設計変更してもかまわない。従って、ボディ２００は、コンタクト１００が２つ収容される構成であるとしたが、図１２に示すように、少なくとも１つ収容することができれば良い。
【００７８】
ボディ２００の係止爪２１４については、ボディ２００の開放部２１３の縁部に第２の接続部１２０の突出方向に向けて設けられており且つ基板２０に係止可能なものであれば、どのようなものを用いてもかまわない。また、係止爪２１４は基板２０の係止孔に係止されるとしたが、当該基板２０の端部や溝部に係止されるようにしてもかまわないし、基板２０上に設けた別部品に係止させることも可能である。また、基板２０に係止爪を設ける一方、ボディ２００に前記係止爪が係止される係止部を設けることも一応可能である。
【００７９】
ボディ２００の取付孔２２４については、挿入口２２２の下方又は上方位置に挿脱方向と略直交する方向に設けられた長孔又は長溝(詳しくは後述する。)であって、シャッタ３００を開位置から閉位置にかけて案内するものである限り、任意に設計変更することが可能である。前記取付孔を挿入口の上方位置に設ける場合には、当該挿入口の縁部に壁を設け、当該壁部に設けるようにすれば良い。
【００８０】
シャッタ３００については、ボディの挿入口を開閉し得るものであれば、どのようなものを用いてもかまわない。また、シャッタ３００の第１のランナ部３２０については、ボディの取付孔に前記直交方向に移動自在になっている限り、どのような形状のものを用いても良い。シャッタ３００の第２のランナ部３３０については、第１のランナ部３２０のみで前記取付孔内を安定して移動可能である場合には、設けなくても良い。シャッタ３００の第３のランナ部３４０については、操作部材４００の案内溝４４０に移動自在に嵌まり込むものであれば、その形状は任意である。
【００８１】
操作部材４００については、ボディに挿脱方向に移動自在に設けられており且つ上記取付孔と斜めに交差する案内溝を有する限りどのような設計変更を行ってもかまわない。即ち、前記操作部材をボディ２００の収容部２２１の内部に設けることも可能である。この場合、操作部材の案内溝は当該操作部材を貫通しており、前記取付孔が前記ボディの操作部材対向面に長溝として設けられている。なお、案内溝及び取付孔は双方貫通孔とすることも勿論可能である。
【００８２】
また、前記操作部材をシャッタ操作専用の操作部材とする場合には、別途第１、第２の屈曲部１１１ａ、１１２ａを押圧する操作部材を設けるようにしても良い。例えば、ボディ２００の第１、第２の屈曲部１１１ａ、１１２ａの上側位置の部分に開口を設け、棒状の操作部材４００を挿入することにより第１、第２の屈曲部１１１ａ、１１２ａを押圧するようにしても良い。また、また、第１、第２の屈曲部１１１ａ、１１２ａをボディ２００の両端部から露出させ、手で操作可能にすることも一応可能である。
【００８３】
操作部材４００の片部材４３０については、第１、第２の屈曲部１１１ａ、１１２ａを押圧し得るものであれば、どのようなものを用いてもかまわない。
【００８４】
なお、上記接続装置は、冷陰極蛍光ランプのソケットであるとして説明したが、これに限定されるものではなく、リード端子と基板とを電気接続するコネクタ等のその他の接続装置として適応可能であることはいう迄もない。
【図面の簡単な説明】
【００８５】
【図１】本発明の実施の形態に係る接続装置を示す図であって、(ａ)が正面図、(ｂ)が側面図である。
【図２】同装置の概略的分解斜視図である。
【図３】同装置の図１のＡ−Ａ断面図であって、(ａ)が操作部材のスライド移動後の状態を示す図、(ｂ)が電子部品のリード端子が挿入された状態を示す図である。
【図４】同装置の図１のＢ−Ｂ断面図であって、(ａ)が操作部材のスライド移動前の状態を示す図、(ｂ)が操作部材のスライド移動後の状態を示す図、(ｃ)が電子部品のリード端子が挿入された状態を示す図である。
【図５】同装置の一端部の操作部材を透過させた状態の概略的背面図であって、(ａ)が操作部材のスライド移動前の状態を示す図、(ｂ)が操作部材のスライド移動後の状態を示す図、(ｃ)が電子部品のリード端子が挿入された状態を示す図である。
【図６】同装置の操作部材を示す図であって、(ａ)が概略的正面図、(ｂ)が概略的背面図、(ｃ)が概略的側面図、(ｄ)が概略的平面図、(ｅ)が概略的底面図である。
【図７】同装置のシャッタを示す図であって、(ａ)が概略的正面図、(ｂ)が概略的背面図、(ｃ)が概略的左側面図、(ｄ)が概略的右側面図、(ｅ)が概略的平面図、(ｆ)が概略的底面図である。
【図８】同装置のコンタクトの概略的斜視図である。
【図９】同装置のコンタクトの設計変更例を示す概略的斜視図であって、(ａ)が固定片である２つの第１のクランプアームと可動片である第２のクランプアームとを有したコンタクトの図、(ｂ)が可動片である第１、第２のクランプアームを有したコンタクトの図、(ｃ)が固定片である第１のクランプアームと可動片である第２のクランプアームとを有したコンタクトの概略的斜視図である。
【図１０】同装置のコンタクトの別の設計変更例を示す概略的斜視図であって、(ａ)が基板のスルーホールに挿入可能な板状体である第２の接続部を示す図、(ｂ)が基板実装可能な鉤状体である第２の接続部を示す図、(ｃ)がリード線を圧着可能な形状である第２の接続部を示す図である。
【図１１】同装置のコンタクトの更に別の設計変更例を示す概略的分解斜視図である。
【図１２】同装置のボディの設計変更例を示す概略的正面図である。
【符号の説明】
【００８６】
１００    コンタクト
１１０    第１の接続部
１１１    第１のクランプアーム
１１１ａ  第１の屈曲部
１１１ｂ  第１の把持部
１１２    第２のクランプアーム
１１２ａ  第２の屈曲部
１１２ｂ  第２の把持部
１２０    第２の接続部
２００    ボディ
２２４    取付孔
３００    シャッタ
４００    操作部材
４４０    案内溝
α        空間
【図１】
2008060004.tif 000003
【図２】
2008060004.tif 000004
【図３】
2008060004.tif 000005
【図４】
2008060004.tif 000006
【図５】
2008060004.tif 000007
【図６】
2008060004.tif 000008
【図７】
2008060004.tif 000009
【図８】
2008060004.tif 000010
【図９】
2008060004.tif 000011
【図１０】
2008060004.tif 000012
【図１１】
2008060004.tif 000013
【図１２】
2008060004.tif 000014